(57)【特許請求の範囲】
【請求項１】
太陽光を電力に変換する複数のソーラーセルを有するとともに、三角形状に形成されるとともに、前記ソーラーセルが直線状に配列されたセル列を有し、隣接する二列のセル列の端部同士を接続する電極を備え、前記ソーラーセルが電気的に直列接続された太陽電池パネルであって、
前記ソーラーセルは、各列に配列される配列数が異なり、当該太陽電池パネルの斜辺に沿った段差を形成し、前記電極のうち、前記セル列の段差側に設けられた電極は、当該太陽電池パネルの斜辺と平行な斜行部と、太陽電池パネルの底辺と平行に延びる水平部とを備えていることを特徴とする太陽電池パネル。
【請求項２】
請求項１に記載の太陽電池パネルにおいて、当該太陽電池パネルの斜辺側には、前記セル列の段差側の電極を覆うカバー部材が設けられていることを特徴とする太陽電池パネル。
【請求項３】
太陽光を電力に変換する複数のソーラーセルを有するとともに、三角形状に形成されるとともに、前記ソーラーセルが直線状に配列されたセル列を有し、隣接する二列のセル列の端部同士を接続する電極を備え、前記ソーラーセルが電気的に直列接続された太陽電池パネルであって、
前記ソーラーセルは、各列に配列される配列数が異なり、当該太陽電池パネルの斜辺に沿った段差を形成し、前記電極のうち、前記セル列の段差側に設けられた電極は、当該太陽電池パネルの斜辺と平行な斜行部と、太陽電池パネルの底辺と直交する辺と平行に延びる直交部とを備えていることを特徴とする太陽電池パネル。
【請求項４】
請求項３に記載の太陽電池パネルにおいて、当該太陽電池パネルの斜辺側には、前記セル列の段差側の電極を覆うカバー部材が設けられていることを特徴とする太陽電池パネル。
【発明の詳細な説明】
【０００１】
【発明の属する技術分野】
本発明は、太陽光を電力に変換する複数のソーラーセルを有する太陽電池パネルに関する。
【０００２】
【背景技術】
従来より、屋根面に縦横に配列された複数の太陽電池パネルで太陽光を電力に変換する太陽電池付屋根が利用されている。
太陽電池パネルは、太陽光を電力に変換するソーラーセルと、周縁に設けられる枠状のフレームとを含んで構成されている（特開平10-140770号公報等参照）。
このような太陽電池パネルは、三角形状に形成される場合がある。
三角形状の太陽電池パネル70には、図６に示されるように、長方形状のソーラーセル71が直線状に配列されている。これらのソーラーセル71は、各列に配列される配列数が異なり、太陽電池パネル70の斜辺70A に沿った階段状の段差72を形成している。
また、太陽電池パネル70には、隣接するソーラーセル71の列の端部同士を接続する電極73が設けられている。この電極73のうち、ソーラーセル71の列の段差72側に設けられた電極73A が段差72に応じたクランク形に形成され、太陽電池パネル70の底辺70B に直交する辺70C に沿って設けられた電極73B が直線状に形成されている。
【０００３】
【発明が解決しようとする課題】
前述のような太陽電池パネル70では、ソーラーセル71の列の段差72側に設けられた電極73A が段差72に沿ってとぎれとぎれに設置されているため、屋根面に太陽電池パネル70を取付けると、電極73が露出され、屋根に違和感が生じるという問題がある。
【０００４】
本発明の目的は、屋根に生じる違和感が軽減される太陽電池パネルを提供することにある。
【０００７】
【課題を解決するための手段】
本発明の第一発明は、図面をも参照して説明すると、太陽光を電力に変換する複数のソーラーセル21が直線状に配列されたセル列22を複数有し、隣接する二列のセル列22の端部同士を接続する電極23を備えるとともに、前記ソーラーセル21が電気的に直列接続された平面三角形状の太陽電池パネル50であって、前記ソーラーセル21は、各列に配列される配列数が異なり、当該太陽電池パネル50の斜辺50A に沿った段差24を形成し、前記電極23のうち、前記セル列22の段差24側に設けられた電極23C は、当該太陽電池パネル50の斜辺50A と平行な斜行部23D と、太陽電池パネル50の底辺50B と平行に延びる水平部23E とを備えていることを特徴とする。
このような本第一発明では、セル列22の段差24側に電極23Cを露出させて設けても、電極23C の斜行部23D を太陽電池パネル50の斜辺50A と平行に形成したので、電極23Cに階段状に曲がった部分がなく、斜行部23D が目立たなくなり、屋根10に生じる違和感が軽減される。
【０００８】
以上において、当該太陽電池パネル50の斜辺50A 側には、前記セル列22の段差24側の電極23C を覆うカバー部材13A が設けられていることが望ましい。
このようにすれば、セル列22の段差24側に露出する電極23Cがカバー部材13Aで覆われるので、屋根10に生じる違和感が一層軽減される。
【０００９】
本発明の第二発明は、図面をも参照して説明すると、太陽光を電力に変換する複数のソーラーセル21が直線状に配列されたセル列22を複数有し、隣接する二列のセル列22の端部同士を接続する電極23を備えるとともに、前記ソーラーセル21が電気的に直列接続された平面三角形状の太陽電池パネル60であって、前記ソーラーセル21は、各列に配列される配列数が異なり、当該太陽電池パネル60の斜辺60A に沿った段差24を形成し、前記電極23のうち、前記セル列22の段差24側に設けられた電極23F は、当該太陽電池パネル60の斜辺60A と平行な斜行部23G と、太陽電池パネル60の底辺60B と直交する辺60C と平行に延びる直交部23H とを備えていることを特徴とする。
このような本第二発明では、前述の第一発明と同様に、セル列22の段差24側に電極23F を露出させて設けても、電極23F の斜行部23G が太陽電池パネル60の斜辺60A と平行に延びているので、電極23F に階段状に曲がった部分がなく、斜行部23G が目立たなくなり、屋根10に生じる違和感が軽減される。
【００１０】
以上において、当該太陽電池パネル60の斜辺60A 側には、前記セル列22の段差24側の電極23F を覆うカバー部材13A が設けられていることが望ましい。
このようにすれば、前述したように、セル列22 の段差24側に露出する電極23Fがカバー部材13A で覆われるので、屋根10に生じる違和感が一層軽減される。
【００１１】
【発明の実施の形態】
以下、本発明の実施の形態を図面に基づいて説明する。
［第一実施形態］
図１には、本発明の第一実施形態に係る建物１が示されている。この建物１は、基礎２の上に形成された建物本体３と、この建物本体３の上に形成された屋根10とを備えたものである。
このうち、屋根10は、水平に延びる棟11と、この棟11の端部から斜め下方に延びる下り棟13とを有する寄棟式の屋根である。この屋根10は、三角形に形成された妻側屋根面14と、台形に形成された桁側屋根面15とを有している。
妻側および桁側屋根面14，15には、下り棟13に沿って太陽光を電力に変換する三角形状の太陽電池パネル20が配列されるとともに、その残りの部分に長方形状の太陽電池パネル30が設けられている。これにより、屋根10は、太陽電池付屋根となっている。
妻側屋根面14の軒先12A 側には、太陽電池パネル20，30が配列されない余白部分が形成されている。また、桁側屋根面15の棟11側および軒先12B 側には、それぞれ太陽電池パネル20，30が配列されない余白部分が形成されている。
【００１２】
太陽電池パネル20は、図２に示されるように、太陽光を電力に変換する複数のソーラーセル21と、これらのソーラーセル21が直線状に配列されたセル列22と、ソーラーセル21の端部同士を接続する電極23とを有している。
ソーラーセル21は、各セル列22に配列される配列数が異なり、太陽電池パネル20の斜辺20A に沿った段差24を形成している。ソーラーセル21は、その配列数が図２中上方に行くに従って少なくなっており、段差24が階段状に連続している。電極23は、セル列22の段差24側に設けられる第一電極23A と、太陽電池パネル20の底辺20B に直交する辺20C に沿って設けられる第二電極23B とを有している。
第一電極23A は、段差24に応じたクランク形に形成され、隣接する二列のセル列22の端部同士を接続している。
第二電極23B は、直線状に形成され、第一電極23A に対応した位置に配置されている。
また、第一電極23A は、カバー部材25で覆われている。カバー部材25は、三角形状に形成されたダミーソーラーセルとされている。このダミーソーラーセル25は、ソーラーセル21の特性、つまり太陽光を電力に変換する特性を有しないものである。
ダミーソーラーセル25は、セル列22の段差24に応じた大きさに形成され、各段差24に隙間なく配置されている。
なお、第一および第二電極23A，23Bは、電気的に接続され、第一電極23A が負極、第二電極23B が正極とされている。これにより、ソーラーセル21は、電気的に直列接続されている。
太陽電池パネル30には、図示していないが、ソーラーセルが縦横に配列され、直線状に配列されたセル列の端部同士を接続する電極が設けられている。
【００１３】
このような本第一実施形態によれば、次のような効果がある。
すなわち、セル列22の段差24側に屋根10の違和感を生じさせる電極23が設けられても、当該電極23をカバー部材25で覆うようにしたので、電極23がカバー部材25により露出しなくなり、屋根10に生じる違和感を軽減できる。
【００１４】
また、カバー部材をダミーソーラーセル25とし、このダミーソーラーセル25をセル列22の段差24に隙間なく配置しているので、ダミーソーラーセル25とソーラーセル21との見た目の質感が同一となるとともに、ダミーソーラーセル25の採用により電極23A を覆う部材が目立たなくなり、屋根10に生じる違和感を一層軽減できる。
【００１５】
［第二実施形態］
図３には、本発明の第二実施形態が示されている。
本第二実施形態は、前記第一実施形態におけるクランク形に形成された電極23A が設けられた太陽電池パネル20を、斜行部23D および水平部23E を有する電極23C が設けられた太陽電池パネル50としたものである。
すなわち、太陽電池パネル50は、図３に示されるように、セル列22の段差24側に第一電極23C を有している。この第一電極23C は、太陽電池パネル50の斜辺50A と平行な斜行部23D と、太陽電池パネル50の底辺50B と平行に延びる水平部23Eとを有している。
水平部23Eは、段差24を形成する一つのソーラーセル21の端部から斜行部23Dに向かって複数本延びている。隣接する二列のセル列22にそれぞれ設けられた水平部23E 同士は、斜行部23D で接続され、隣接する二列のセル列22同士を接続している。
【００１６】
このような本第二実施形態によっても、前記第一実施形態と同様の作用・効果が得られる他、次のような効果を付加できる。
すなわち、セル列22の段差24側に第一電極23C を露出させて設けても、第一電極23C の斜行部23D が太陽電池パネル20の斜辺20A と平行に延びているので、第一電極23C に階段状に曲がった部分がなく、斜行部23D が目立たなくなり、屋根10に生じる違和感を軽減できる。
【００１７】
［第三実施形態］
図４には、本発明の第三実施形態が示されている。
本第三実施形態は、前記第二実施形態における下り棟13が露出した屋根10を、当該下り棟13にカバー部材13A を取り付けた屋根100 としたものである。
すなわち、下り棟13には、図４に示されるように、当該下り棟13の長手方向に沿ってカバー部材である下り棟カバー部材13A が設けられている。
この下り棟カバー部材13A は、太陽電池パネル50の第一電極23C の大部分を覆うように配置されている。
【００１８】
このような本第三実施形態によっても、前記第一実施形態と同様の作用・効果が得られる他、次のような効果を付加できる。
また、第一電極23C を下り棟カバー部材13A で覆うようにしたので、第一電極23C の大部分が下り棟カバー部材13A により露出しなくなり、屋根10に生じる違和感を一層軽減できる。
【００１９】
なお、本発明は前記実施形態に限定されるものではなく、本発明の目的を達成できる他の構成等を含み、以下に示すような変形なども本発明に含まれる。
すなわち、セル列22の段差24側に設けられた電極としては、斜行部23D と水平部23E とを有するものに限らず、図５に示されるように、太陽電池パネル60の斜辺60A と平行に延びる斜行部23G と、太陽電池パネル60の底辺60B と直交する辺20C と平行に延びる直交部23H とを有する電極23F であってもよい。
【００２０】
【発明の効果】
本発明の太陽電池パネルによれば、次のような効果が得られる。
すなわち、請求項１に記載の太陽電池パネルによれば、セル列の段差側に屋根に違和感を生じさせる電極が設けられても、当該電極をカバー部材で覆うようにしたので、電極がカバー部材により露出しなくなり、屋根に生じる違和感を軽減できる。
【００２１】
また、請求項２に記載の太陽電池パネルによれば、カバー部材をダミーソーラーセルとし、このダミーソーラーセルをセル列の段差に隙間なく配置しているので、ダミーソーラーセルとソーラーセルとの見た目の質感が同一となるとともに、ダミーソーラーセルの採用により電極を覆う部材が目立たなくなり、屋根に生じる違和感を一層軽減できる。
【００２２】
さらに、請求項３に記載の太陽電池パネルによれば、セル列の段差側に電極を露出させて設けても、電極の斜行部を太陽電池パネルの斜辺と平行に形成したので、電極に階段状に曲がった部分がなく、斜行部が目立たなくなり、屋根に生じる違和感を軽減できる。
【００２３】
また、請求項４に記載の太陽電池パネルによれば、セル列の段差側に露出する電極がカバー部材で覆われるので、屋根に生じる違和感を一層軽減できる。
【００２４】
さらに、請求項５に記載の太陽電池パネルによれば、前述の請求項３に記載の太陽電池パネルと同様に、セル列の段差側に電極を露出させて設けても、電極の斜行部が太陽電池パネルの斜辺と平行に延びているので、電極に階段状に曲がった部分がなく、斜行部が目立たなくなり、屋根に生じる違和感を軽減できる。
【００２５】
また、請求項６に記載の太陽電池パネルによれば、前述したように、セル列の段差側に露出する電極がカバー部材で覆われるので、屋根に生じる違和感を一層軽減できる。
【図面の簡単な説明】
【図１】本発明の第一実施形態に係る建物を示す斜視図である。
【図２】前記実施形態に係る太陽電池パネルを示す正面図である。
【図３】本発明の第二実施形態を示す正面図である。
【図４】本発明の第三実施形態に係る建物を示す斜視図である。
【図５】本発明の変形例を示す正面図である。
【図６】本発明の従来例を示す正面図である。
【符号の説明】
13A  カバー部材である下り棟カバー部材
20，50，60  太陽電池パネル
20A，50A，60A  斜辺
20B，50B，60B  底辺
20C，50C，60C  底辺と直交する辺
21  ソーラーセル
22  セル列
23,23A,23C,23F  電極
23D,23G  斜行部
23E  水平部
23H  直交部
24  段差
25  カバー部材であるダミーソーラーセル
【図１】
0003748344.tif 000002
【図２】
0003748344.tif 000003
【図３】
0003748344.tif 000004
【図４】
0003748344.tif 000005
【図５】
0003748344.tif 000006
【図６】
0003748344.tif 000007